(57)【要約】【課題】小型のインクタンクにも適用できるよう簡便な構成でインクタンク内のインクに関する情報を検出することができ、しかも検出した情報を簡便割確実に格納可能とする。【解決手段】インク残量検出モジュール２０は、支持基板２１と支持基板２１の第１の面２１ａに設けられた、情報記憶素子２２および検出用電極２３と、支持基板２１の第２の面２１ｂに設けられた、検出用外部コンタクト電極２４および素子用外部コンタクト電極２５とを有する。インク残量検出モジュール２０は、検出用電極２３をインク収容室６内に露出させて、インクタンクの筐体の一部を構成するカップ部２に取り付けられる。【選択図】図２
2005343037.tif 000002
【特許請求の範囲】
【請求項１】
インクジェット記録に用いられるインクタンク内のインク残量を検出するために前記インクタンクに取り付けられるインク残量検出モジュールであって、
支持基板と、
前記支持基板の片面に設けられた、少なくとも一つの検出用電極、および情報の書き込みおよび読み出しが可能な不揮発性の情報記憶手段と、
前記支持基板に設けられた、前記検出用電極がインクと接触しているか否かに応じて得られるインク残量に関する情報を外部に伝達し、かつ前記情報記憶素子に書き込むべき情報を外部から伝達させるための情報伝達手段とを有するインク残量検出モジュール。
【請求項２】
前記情報伝達手段は、前記支持基板の片面と反対側の面に設けられた、前記検出用電極と電気的に接続された検出用外部コンタクト電極、および前記情報記憶素子と電気的に接続された素子用外部コンタクト電極である請求項１に記載のインク残量検出モジュール。
【請求項３】
前記情報記憶手段は、前記検出用電極から得られるアナログ情報をデジタル情報に変換するアナログ／デジタル処理部と、前記インク残量に関する情報を格納するメモリ領域とを有する、請求項１に記載のインク残量検出モジュール。
【請求項４】
前記情報伝達手段は、前記支持基板の片面と反対側の面に設けられた、前記情報記憶素子と電気的に接続された素子用外部コンタクト電極である請求項３に記載のインク残量検出モジュール。
【請求項５】
前記情報伝達手段は、高周波電磁誘導または高周波電波を利用して非接触で情報を送受信するアンテナ部を有し、前記情報記憶手段は、前記アナログ／デジタル処理部で変換されたデジタル情報と高周波信号の相互変換を行う高周波処理部をさらに有する、請求項３に記載のインク残量検出モジュール。
【請求項６】
インクを内部に収容するためのインク室と、該インク室内のインクを記録ヘッドに供給するためのインク供給口とを有するインクタンクにおいて、
請求項１ないし５のいずれか１項に記載のインク残量検出モジュールと、
前記インク室の外壁および前記インク供給口を構成する筐体部材とを有し、
前記インク残量検出モジュールは、前記検出用電極を前記インク室に露出させて、前記筐体部材に取り付けられていることを特徴とするインクタンク。
【請求項７】
少なくとも前記検出用電極に接触し、前記検出用電極に接触したインクが前記インク供給口まで連通するようにインクを収容した請求項６に記載のインクタンク。
【請求項８】
前記インク残量検出モジュールは、前記情報記憶手段が設けられた面を前記インク室側に向けて取り付けられている請求項６または７に記載のインクタンク。
【請求項９】
前記筐体部材には前記検出用電極の数および位置に対応した貫通穴が形成され、前記インク残量検出モジュールは、前記検出用電極を前記貫通穴内に位置させて取り付けられている、請求項６ないし８のいずれか１項に記載のインクタンク。
【請求項１０】
請求項６ないし９のいずれか１項に記載のインクタンクを着脱可能に搭載し、前記インクタンクから供給されたインクを吐出する記録ヘッドを用いて記録媒体に記録を行うインクジェット記録装置であって、
前記インクタンクを着脱可能に保持する保持部と、
前記インクタンクに取り付けられた前記インク残量検出モジュールの前記情報伝達手段を介して前記インク残量検出モジュールとの間で情報のやり取りを行うための装置側情報伝達手段を有するインクジェット記録装置。
【請求項１１】
請求項２または４に記載のインク残量検出モジュールを備えたインクタンクを着脱可能に搭載し、前記インクタンクから供給されたインクを吐出する記録ヘッドを用いて記録媒体に記録を行うインクジェット記録装置であって、
前記インクタンクを着脱可能に保持する保持部と、
前記インクタンクに取り付けられた前記インク残量検出モジュールの前記情報伝達手段を介して前記インク残量検出モジュールとの間で情報のやり取りを行うための装置側情報伝達手段とを有し、
前記インクタンクは、インクを内部に収容すべきまたは収容したインク室の外壁を構成する筐体部材を備えるとともに、前記インク残量検出モジュールが、前記検出用電極を前記インク室に露出させて前記筐体部材に取り付けられており、
前記装置側情報伝達手段は、前記インクタンクが前記保持部に装着されたときに、前記インク残量検出モジュールの前記支持基板の片面と反対側の面に設けられた外部コンタクト電極と接触するコンタクト端子を有する、インクジェット記録装置。
【請求項１２】
請求項５に記載のインク残量検出モジュールを備えたインクタンクを着脱可能に搭載し、前記インクタンクから供給されたインクを吐出する記録ヘッドを用いて記録媒体に記録を行うインクジェット記録装置であって、
前記インクタンクを着脱可能に保持する保持部と、
前記インクタンクに取り付けられた前記インク残量検出モジュールの前記情報伝達手段を介して前記インク残量検出モジュールとの間で情報のやり取りを行うための装置側情報伝達手段とを有し、
前記インクタンクは、インクを内部に収容すべきまたは収容したインク室の外壁を構成する筐体部材を備えるとともに、前記インク残量検出モジュールが、前記検出用電極を前記インク室に露出させて前記筐体部材に取り付けられており、
前記装置側情報伝達手段は、前記インク残量検出モジュールのアンテナ部との間で情報の送受信を行う装置側アンテナ部を有する、インクジェット記録装置。
【請求項１３】
インクを内部に収容したインク室と、該インク室内のインクを記録ヘッドに供給するためのインク供給口とを有するインクタンクの製造方法において、
前記インク室の外壁および前記インク供給口を構成し、かつ、請求項１ないし５のいずれか１項に記載のインク残量検出モジュールが前記検出用電極を前記インク室に露出させて取り付けられた筐体部材を用意する工程と、
前記インク室内にインクを充填する工程と、
前記インク残量検出モジュールの前記情報記憶手段に、インク有りを意味する情報を書き込む工程とを有するインクタンクの製造方法。
【請求項１４】
前記インク室内にインクを充填する工程は、少なくとも前記検出用電極にインクが接触し、かつ前記検出用電極に接触したインクが前記インク供給口まで連通するように、インクを充填することを含む請求項１３に記載のインクタンクの製造方法。
【請求項１５】
前記情報記憶手段には、インク無しを意味する情報が予め書き込まれており、
前記情報記憶手段にインク有りを意味する情報を書き込む工程は、前記情報記憶手段に予め書き込まれている情報を更新することを含む請求項１３または１４に記載のインクタンクの製造方法。
【請求項１６】
前記インク残量検出モジュールの前記情報記憶手段に、前記インクの色に関する情報を書き込む工程をさらに有する請求項１３ないし１５のいずれか１項に記載のインクタンクの製造方法。
【請求項１７】
前記インク残量検出モジュールの前記情報記憶手段にはインクの色に関する情報が予め書き込まれており、
前記インク室内にインクを充填する工程は、前記情報記憶手段に予め書き込まれているインクの色に関する情報に対応した同じ色のインクを充填することを含む請求項１３ないし１５のいずれか１項に記載のインクタンクの製造方法。
【請求項１８】
前記インク残量検出モジュールの前記情報記憶手段にはインクの色に関する情報が予め書き込まれており、
前記インク室内にインクを充填する工程は、前記情報記憶手段に予め書き込まれているインクの色に関する情報に対応する色とは異なる色のインクを充填することを含み、
前記情報記憶手段に書き込まれているインクの色に関する情報を更新する工程をさらに有する請求項１３ないし１５のいずれか１項に記載のインクタンクの製造方法。
【請求項１９】
前記インク室内にインクを充填する工程の前に、前記インク室内を洗浄する工程をさらに有する請求項１５、１７または１８に記載のインクタンクの製造方法。
【発明の詳細な説明】
【技術分野】
【０００１】
本発明は、インクジェット記録において、インクジェット記録ヘッドに供給するインクを収容するインクタンク内のインク残量を検出するのに用いられるインク残量検出モジュール、このインク残量検出モジュールを備えたインクタンク、およびインクジェット記録装置に関する。
【背景技術】
【０００２】
インクジェット記録には、インクを吐出する記録ヘッドと、記録ヘッドに供給するインクを収容するインクタンクとが少なくとも用いられる。インクは消耗品であるので、インクジェット記録装置においては、インクタンクを単体で、あるいは記録ヘッドと一体としたカートリッジ形態でインクジェット記録装置に着脱自在とし、インクタンク内のインクがなくなったら新たなインクタンクに交換できるように構成されている。
【０００３】
従来のインクジェット記録装置においては、インクタンクの交換時期をユーザに知らせるために、インクタンク内のインクの有無を検出する技術が提案され、かつ実用に供されている。インクの有無を検知する方法としては、
（１）インクタンク内に一対の電極を設け、インクを介して電極間に電流が流れることを利用して、インクが所定のレベル（インク液面の高さ）に達したことを検出する方法、
（２）インクタンクの内壁面にインクの屈折率に近いプリズムを設け、プリズムに向けて光を入射したときの、インクの液面位置がプリズムの位置よりも高い場合と低い場合での光の屈折の違いを利用して、インクが所定のレベルに達したことを検出する方法、
（３）インクタンク内のインクと、インクタンクの外部に設けた電極との間の静電容量の変化を利用して、インクが所定のレベルに達したことを検出する方法、
などが挙げられる。また、これらの方法を組み合わせたり、インクの吐出回数等からインクの使用量を換算するドットカウント法と呼ばれる方法と組み合わせたりすることも行われている。
【０００４】
以下に、上述した各方法のうち、光学的にインクの残量を検出する従来の検出システムの一例について図１２（ａ）〜（ｃ）を参照して説明する。
【０００５】
図１２（ａ）に、光学的にインク残量を検出する手段を備えた従来のインクタンク１０１の断面図を示す。また、図１２（ｂ）に、このインクタンク１０１のカップ部１０２の斜視図を示す。
【０００６】
インクタンク１０１は、カップ部１０２と蓋部１０３とを有し、これらで構成される筐体１０４内にインクを収容している。筐体１０４の内部は、下部に連通部１０９を有しカップ部１０２に形成された仕切壁１１４によって２つの空間に仕切られている。一方の空間は、連通部１０９を除いて密閉されインクを直接収容するインク収容室１０６である。他方の空間は、インクを吸収して保持する負圧発生部材１１１を収納する負圧発生部材収納室１０５である。負圧発生部材収納室１０５を形成する壁面には、記録ヘッド部（不図示）にインクを供給するためのインク供給口１１０と、インクの消費に伴って外部からインクタンク１０１内へ大気を導入するための大気連通口１０８とが形成されている。図１２（ａ）において、負圧発生部材１１１がインクを保持している領域を斜線で示している。
【０００７】
仕切壁１１４の負圧発生部材収納室１０５側の壁面には、負圧発生部材収納室１０５からインク収容室１０６への大気導入を促進するための構造として、連通部１０９から上向きに延びる気体導入溝１１９が形成されている。また、負圧発生部材収納室１０５の内部において、大気連通口１０８の周囲は、負圧発生部材１１１が存在しない空間（バッファ部）となっている。
【０００８】
記録ヘッド部により負圧発生部材１１１のインクが消費され、負圧発生部材収納室１０５内の気液界面１１１ａが図１２（ａ）に示した気体導入溝１１９の上端に達すると、以後のインク消費に伴って大気連通口１０８から負圧発生部材収納室１０５内に空気が導入され、導入された空気は連通部１０９を通じてインク収容室１０６に入る。これに替わって、インク収容室１０６内のインクが、連通部１０９を通じて負圧発生部材収納室１０５に入り、負圧発生部材１１１に充填される。この動作を、気液交換動作という。
【０００９】
したがって、記録ヘッド部により負圧発生部材収納室１０５内のインクが消費されても、その消費量に見合う分のインクがインク収容室１０６から負圧発生部材１１１に充填され、負圧発生部材収納室１０５内での気液界面１１１ａがほぼ一定の高さに維持される。つまり、負圧発生部材１１１はほぼ一定量のインクを保持しており、それによって、記録ヘッド部に対する負圧がほぼ一定に保たれ、記録ヘッド部へのインク供給が安定する。
【００１０】
インク収容室１０６の底面には、カップ部１０２と一体に形成され頂点の角度を９０°とした三角プリズム状の光学反射体１１３が配置されている。一方、インクタンク１０１が装着されるインクジェット記録装置（不図示）側においては、図１２（ｃ）に示すように、発光部１５２と受光部１５３とを有する光学センサーモジュール１５１が、光学反射体１１３の下方に配置されている。
【００１１】
インク収容室１０６内にインクがない場合は、図１２（ｃ）に実線矢印で示すように、発光部１５２から出射した光は、光学反射体１１３に入射し、その２つの斜面でそれぞれ反射して受光部１５３へ戻る。発光部１５２から出射した光の、光学反射体１１３の斜面への入射位置よりも高い位置までインクが存在している場合は、破線矢印で示すように、発光部１５２から出射して光学反射体１１３に入射した光は、その大部分が光学反射体１１３を透過する。したがって、受光部１５３に戻る光の光量によってインクの有り無しを検出することができる。
【００１２】
上述した、光学的なインク残量検出手段を有するインクタンクの構成は特許文献１にも開示されている。
【００１３】
ところで、近年のインクジェット記録装置はフルカラー化が進み、それに伴って使用するインクの色も多色化の傾向にある。そのため、インクジェット記録装置に搭載するインクタンクの種類も多くなってきており、インクタンクの誤装着を防止するために、インクタンクに固有の情報を持たせることも行われている。インクタンクに固有の情報を持たせるためには、機械的なＩＤ構造をインクタンクに設けたり、バーコードラベルをインクタンクに貼り付けたり、ＲＯＭなどの情報格納素子をインクタンクに設けたりすることが知られている。
【特許文献１】特開平７−１６４６２６号公報
【発明の開示】
【発明が解決しようとする課題】
【００１４】
上述のように、従来のインクジェット記録装置においては、高品位記録の要求から多色化が進みそれに伴って搭載するインクタンクの種類も多くなってきている。その一方で、設置面積をできるだけ小さくしたい、あるいはモバイルユースにおいて携帯性を向上したいという観点から、小型化の要求も高い。インクジェット記録装置の小型化が進むと、インクタンクの小型化も要求され、さらにはインク残量検出手段も簡便な構造であることが要求される。
【００１５】
また、従来は、検出したインクの残量に関する情報は、インクジェット記録装置へ送られ、インクジェット記録装置側からユーザにインクタンク交換のための警告を発している。前述したように、インクタンク固有の情報を持たせたインクタンクもあるが、この情報はあくまでも、収容しているインクの種類といった、インクタンクの誤装着を防止するのに必要な情報である。
【００１６】
しかしながら、従来、インクに関する情報を簡便な構造で検出可能であり、しかも検出した情報を簡便かつ確実にインクタンクに格納できる技術はなかった。
【００１７】
そこで本発明は、小型のインクタンクにも適用できるよう簡便な構成でインクタンク内に収容されたインクに関する情報を検出でき、しかも検出した情報を簡便かつ確実に格納可能とすることを目的とする。
【課題を解決するための手段】
【００１８】
上記目的を達成するため本発明のインク残量検出モジュールは、インクジェット記録に用いられるインクタンク内のインク残量を検出するために前記インクタンクに取り付けられるインク残量検出モジュールであって、支持基板と、前記支持基板の片面に設けられた、少なくとも一つの検出用電極、および情報の書き込みおよび読み出しが可能な不揮発性の情報記憶手段と、前記支持基板に設けられた、前記検出用電極がインクと接触しているか否かに応じて得られるインク残量に関する情報を外部に伝達し、かつ前記情報記憶素子に書き込むべき情報を外部から伝達させるための情報伝達手段とを有する。
【００１９】
本発明のインク残量検出モジュールによれば、検出用電極、情報記憶手段、および情報伝達手段が支持基板に設けられているので、小型のインクタンクに取り付けるのにも適した、コンパクトでかつ構成が簡易なインク残量検出モジュールが達成される。しかも不揮発性の情報記憶手段を有しているので、インク残量に関する情報を、簡便かつ確実にインク残量検出モジュール自身に格納することが可能である。
【００２０】
本発明のインクタンクは、インクを内部に収容るためのインク室と、該インク室内のインクを記録ヘッドに供給するためのインク供給口とを有するインクタンクにおいて、上記本発明のインク残量検出モジュールと、前記インク室の外壁および前記インク供給口を構成する筐体部材とを有し、前記インク残量検出モジュールは、前記検出用電極を前記インク室に露出させて、前記筐体部材に取り付けられていることを特徴とする。
【００２１】
本発明のインクタンクによれば、上述した本発明のインク残量検出モジュールが取り付けられているので、インクタンクの小型化が阻害されることなく、インク残量を検出し、かつ、インク残量に関する情報をインクタンク自身に持つことが可能である。
【００２２】
本発明のインクジェット記録装置は、上記の本発明のインクタンクを着脱可能に搭載し、前記インクタンクから供給されたインクを吐出する記録ヘッドを用いて記録媒体に記録を行うインクジェット記録装置であって、前記インクタンクを着脱可能に保持する保持部と、前記インクタンクに取り付けられた前記インク残量検出モジュールの前記情報伝達手段を介して前記インク残量検出モジュールとの間で情報のやり取りを行うための装置側情報伝達手段を有する。
【００２３】
本発明のインクジェット記録装置によれば、上述した本発明のインクタンクが搭載され、そのインクタンクに取り付けられたインク残量検出モジュールとの間で情報のやり取りを行うための装置側情報伝達手段を有しているので、インクジェット記録装置は、その動作をインク残量検出モジュールから得られた情報に基づいて制御したり、インクタンクのインク残量に関する情報をインクタンク自身に持たせたりすることが可能となる。
【００２４】
本発明のインクタンクの製造方法は、インクを内部に収容したインク室と、該インク室内のインクを記録ヘッドに供給するためのインク供給口とを有するインクタンクの製造方法において、前記インク室の外壁および前記インク供給口を構成し、かつ、上記本発明のインク残量検出モジュールが前記検出用電極を前記インク室に露出させて取り付けられた筐体部材を用意する工程と、前記インク室内にインクを充填する工程と、前記インク残量検出モジュールの前記情報記憶手段に、インク有りを意味する情報を書き込む工程とを有する。
【００２５】
本発明のインクタンクの製造方法によれば、インクを充填した後に、インク残量検出モジュールの情報記憶手段に、インク有りを意味する情報を書き込むので、インクタンク自身に、インクタンク内のインク残量に関する情報が簡便かつ確実に格納される。また、使用済みのインクタンクを、インクを再充填して利用した場合に生じる、インク残量検出モジュールで検出された情報と、情報記憶手段に保持された情報との不整合さが解消される。
【発明の効果】
【００２６】
本発明によれば、支持基板上に、検出用電極、情報記憶素子および情報伝達手段を設けたインク残量検出モジュールを用いることにより、インクタンク内のインク残量を、コンパクトかつ簡易な構成で検出することができるとともに、インク残量に関する情報を簡便かつ確実にインクタンク自身に持たせることができる。
【００２７】
また、本発明のインクタンクの製造方法によれば、インクタンク内のインク残量を、インクジェット記録装置に装着することなくインクタンク単体で簡便かつ確実に知ることができる。また、インクタンクを再利用する場合に、インク残量検出モジュールで検出された情報と、情報記憶素子に保持された情報との不整合さを解消することができる。
【発明を実施するための最良の形態】
【００２８】
次に、本発明の実施形態について図面を参照して説明する。
【００２９】
図１は、本発明の一実施形態によるインクタンクの断面図である。本実施形態のインクタンク１は、基本的な構造は図１２に示したインクタンク１０１と同様である。すなわち、カップ部２と蓋部３とで筐体４が構成され、この筐体４の内部は、下部に連通部９を有しカップ部２に形成された仕切壁１４によって、インクを直接収容すべきまたは収容しているインク収容室６と、負圧発生部材１１を収納する負圧発生部材収納室５とに仕切られている。負圧発生部材収納室５を形成する壁面には、インク供給口１０と大気連通口８とが形成されている。このインクタンク１の使用時の姿勢（記録動作可能に設置されたインクジェット記録装置に装着した状態での姿勢）において、大気連通口８が上方に位置し、インク供給口１０が下方に位置するように、大気連通口８は蓋部３に形成され、インク供給口１０はカップ部２の底壁に形成されている。また、負圧発生部材１１とインク供給口１０との間には、負圧発生部材１１に吸収保持されたインクをインク供給口１０に導き易くするためのインク導出部材１２が設けられている。
【００３０】
カップ部２の底壁には、インク収容室６内のインク残量に関する情報を検出するためのインク残量検出モジュール２０が、インク収容室６を形成する領域に設けられている。このインク残量検出モジュール２０に関連する構造が、図１２に示したインクタンク１０１と異なっている。以下に、インク残量検出モジュール２０について詳細に説明する。
【００３１】
図２は、本実施形態のインクタンクの、インク残量検出モジュール近傍での断面図である。図３は、本実施形態のインクタンクの、インク残量検出モジュールが設けられた領域での、カップ部の底壁をカップ部の内側から見た斜視図である。図４は、図２に示すインク残量検出モジュールの斜視図である。なお、図２はインク残量検出モジュール２０に関連する主要な構成が表れるように模式的に示した断面であり、特定の領域で切断した断面を示すものではない。
【００３２】
図２〜図４を参照して、インク残量検出モジュール２０に関連する構造について説明する。カップ部２の底壁のインクタンク１（図１参照）の外表面を構成する面には凹部２ａが形成され、この凹部２ａにインク残量検出モジュール２０が嵌め込まれている。インク残量検出モジュール２０は、支持基板２１と、支持基板２１の第１の面２１ａに搭載された情報記憶素子２２とを有する。情報記憶素子２２は、電気的、磁気的あるいは電磁気的に情報の書き込み消去および読み出しが可能な不揮発性の記憶デバイスであり、例えば、ＥＥＰＲＯＭ、フラッシュメモリ、磁気メモリなどを用いることができる。また、情報記憶素子２２は、不図示の封止剤で覆われて保護されている。
【００３３】
支持基板２１の第１の面２１ａにはさらに、インク収容室６内のインク残量を検出するのに用いられる一対の検出用電極２３が、互いに間隔をあけて設けられている。支持基板２１の第１の面２１ａと反対側の面である第２の面２１ｂには、検出用電極２３とそれぞれ電気的に接続された、一対の検出用外部コンタクト電極２４と、情報記憶素子２２の端子とそれぞれ電気的に接続された複数の素子用外部コンタクト電極２５とが設けられている。
【００３４】
カップ部２の凹部２ａが形成された領域には、カップ部２の厚さ方向に貫通した２つの貫通穴２ｂが形成されている。各貫通穴２ｂは、それぞれインク残量検出モジュール２０の検出用電極２３の位置および数に対応して形成されており、各検出用電極２３は、それぞれ各貫通穴２ｂ内でインク収容室６内に露出して配置されている。これにより、支持基板２１の第２の面２１ｂはインクタンク１の外側を向いており、検出用外部コンタクト電極２４および素子用外部コンタクト電極２５はインクタンク１の外表面に露出している。インク残量検出モジュール２０とカップ部２との隙間および情報記憶素子２２は、接着剤２６で封止され、これによってインク残量検出モジュール２０の固定がなされるとともに、インク収容室６からのインク漏れが防止される。
【００３５】
カップ部２の内壁面において、各貫通穴２ｂの間には、分断溝２ｃが形成されている。これによって、各貫通穴２ｂの間の、分断溝２ｃの両側の領域が分断領域２７となっている。これは、インク収容室６内のインクがなくなり、インク無しを検出すべき量となったときに、貫通穴２ｂ間でインクブリッジ（インクの繋がり）が形成されるのを防ぐためのものである。分断溝２ｃに限らず、他の凹凸構造をカップ部２の内壁面の、各貫通穴２ｂの間の領域に設けても同様の効果が得られる。
【００３６】
また、貫通穴２ｂは、カップ部２の内側から見て漏斗状に形成されており、残り少なくなったインクが貫通穴２ｂ内に集まり易い形状とされている。さらに、図３に示すように、貫通穴２ｂの内側面には、毛管力を発生させる複数の毛管溝２ｄが、貫通穴２ｂ内のインクをインク残量検出モジュール２０へ導くような向きで形成されている。これによって、貫通穴２ｂ内のインクを良好に検出用電極２３上に引き込むことができる。毛管溝２ｄはまた、インクタンク１（図１参照）をインクジェット記録装置から取り外し、その姿勢を上下ひっくり返したとき等に、万が一、貫通穴２ｂの内側面に気泡が付着した場合であっても、本来の装着姿勢（使用時の姿勢）に復帰させた際にはインクをより良好にインク残量検出モジュール２０上に引き込む効果もある。
【００３７】
インク残量検出モジュール２０の電気的構成を図５に示す。インクタンク１側では、インク残量検出モジュール２０の、情報記憶素子２２に接続された各素子用外部コンタクト電極２５は、例えば、データ入出力用の端子ＤＩ／ＤＯ、情報記憶素子２２の駆動用の電源端子Ｖｄｄ、グランド用のコモン端子ＣＯＭ、およびクロック端子ＣＬＫとされる。一方、インクジェット記録装置５０は、このインクタンク１を着脱可能に保持するキャリッジ５１を有し、インクタンク１はキャリッジ５１に装着される。このキャリッジ５１は、インクを吐出するインクジェット記録ヘッド（不図示）を一体にまたは着脱可能に搭載しており、インクタンク１からインクジェット記録ヘッドにインクを供給し、供給されたインクをインクジェット記録ヘッドから吐出することで、紙や樹脂シートなどの記録媒体に記録を行う。
【００３８】
また、このキャリッジ５１には、インクタンク１が装着されたときに、各検出用外部コンタクト電極２４および素子用外部コンタクト電極２５とそれぞれ電気的に接続される、検出用コンタクト端子５１ａおよび素子用コンタクト端子５１ｂが設けられている。検出用コンタクト端子５１ａおよび素子用コンタクト端子５１ｂは、このインクジェット記録装置５０の制御部（不図示）と電気的に接続され、検出用コンタクト端子５１ａから得られた情報は、必要に応じて制御部で処理されて、素子用コンタクト端子５１ｂを介して情報記憶素子２２に入力される。
【００３９】
検出用コンタクト端子５１ａおよび素子用コンタクト端子５１ｂは、インクタンク１がキャリッジ５１に装着されることによって、それぞれ検出用外部コンタクト電極２４および素子用外部コンタクト電極２５と接触し、これによって電気的な接続がなされる。インクタンク１がキャリッジ５１に装着されたときに、検出用コンタクト端子５１ａおよび素子用コンタクト端子５１ｂを検出用外部コンタクト電極２４および素子用外部コンタクト電極２５に良好に接触させるために、例えば図６に示すように、検出用コンタクト端子５１ａおよび素子用コンタクト端子５１ｂは、導電性を有する部材からなる板ばねとして構成するのが好ましい。なお、図６に示す検出用コンタクト端子５１ａおよび素子用コンタクト端子５１ｂは、インクタンク１との接続部の構造の一例を示すものであり、形状や配置等は適宜変更することができる。
【００４０】
引き続き図６を参照して、本実施形態によるインク残量の検出について説明する。インク収容室６内に十分にインクがある場合は、図６（ａ）に示すように、インク残量検出モジュール２０の２つの検出用電極２３は、インク収容室６内のインクを介して電気的に接続されている。したがって、インク有無の情報として検出用電極２３間での電流の流れを検出することで、インクジェット記録装置５０の制御部は、インクタンク１にインクが残っていると判断する。そして、インクジェット記録装置５０の制御部（図５参照）での判断結果が、インク有りを示す情報として、データの入出力用の端子（図５に示した端子ＤＩ／ＤＯ）を通じて、インク残量検出モジュール２０の情報記憶素子２２に適宜書き込まれる。
【００４１】
インク収容室６内のインクが消費され、図６（ｂ）に示すように、インク収容室６内のインクが、分断領域２７によって、２つの検出用電極２３間で分断されると、検出用電極２３間には電流は流れない。検出用電極２３間での電流の流れが検出されなければ、インクジェット記録装置５０の制御部は、これをインク無しと判断する。制御部は、その判断結果に基づき、インク残量検出モジュール２０に対し、データの入出力用の端子を通じて、インク無しを示す情報として、情報記憶素子２２のインク有りを示すデータを更新する。このデータの更新は、情報記憶素子２２に書き込まれているインク有りを示すデータを書き換えることによって行ってもよいし、インク有りを示すデータを残したまま、情報記憶素子２２内の別の記憶領域にインク無しを示すデータを書き加えることによって行ってもよい。それと同時に、制御部は、インクジェット記録装置５０自身を通じて、ユーザに対してインクがない旨の警告を発してインクタンク１の交換を促すとともに、必要に応じて記録動作を中断する。
【００４２】
以上説明したように、本実施形態によれば、支持基板２１の片面に検出用電極２３を設けるとともに、その反対側の面に検出用外部コンタクト電極２４を設けた構成とすることで、電気伝導度を利用した確実なインク残量検出手段を狭いスペースで設置することができる。さらに、光学的手段を用いていないので、インクと反射部材（例えばプリズム）との反射界面の反射率劣化による誤検出の問題も生じないので、インクがなくなったインクタンクの再利用、すなわち、インクを再充填しての再使用も可能である。
【００４３】
また、支持基板２１に情報記憶素子２２を搭載しているので、検出用電極２３で検出してインクジェット記録装置５０で処理されたインク残量に関するデータを、この情報記憶素子２２に書き込むことができる。その結果、素子用外部コンタクト電極２５を利用して、情報記憶素子２２に記憶されているデータを読み出すことによって、インクタンク１内のインク残量に関する情報を簡便かつ確実に知ることができる。しかも、情報記憶素子２２はインクタンク１の内側向きの面に搭載され、結果的に情報記憶素子２２は支持基板２１に保護されることになるので、情報記憶素子２２の損傷が防止される。
【００４４】
インク残量に関する情報は厳密である必要はなく、「有り／無し」程度の段階的な情報で良く、データ量も比較的少なくてよい。情報記憶素子２２としても半導体を利用した小型のチップ状素子を用いることができるので、情報記憶素子２２を搭載したとしても、インク残量検出モジュール２０の小型化が損なわれることはない。また、情報記憶素子２２としては、情報の消去および書き込みによって情報を書き換えるものに限定されるものではなく、記録済みの領域とは別の領域に逐次追記が可能なもの、すなわち、少なくとも書き込みおよび読み出しが行えるものであってもよいことはもちろんである。
【００４５】
インク残量検出モジュール２０を小型化できることにより、インク残量の確実な検出およびインク残量に関する情報の格納を、小型のインクタンク、ひいては小型のインクジェット記録装置に対しても適用することができる。
【００４６】
以上の説明では、インク残量検出モジュール２０が取り扱う情報が、インク「有り／無し」である場合について説明したが、検出用電極２３間に流れる電流の大小を高い精度で検出できる場合は、インク「有り／無し」だけでなく、インク無しの直前の状態であることも検出することができる。インクが図６（ｂ）に示すように２つの検出用電極２３間で分断される直前では、検出用電極２３間に電流は流れるものの、インクが十分に存在している場合と比較して検出用電極２３間の電気抵抗値が極めて高くなり、電流値は極めて小さくなる。したがって、検出用電極２３間に電流が流れなくなる直前の、この電流の大きさの変化を検出できれば、インク収容室６内のインク残量が僅かであることも検出できる。また、そうした電流の変化がより大きく現れるように、分断領域２７の三次元的形状を工夫することも可能である。
【００４７】
情報記憶素子２２には、インク残量に関する情報だけでなく、他の情報を格納することもできる。情報記憶素子２２に格納できる他の情報としては、そのインクタンク１に固有の情報、例えば、品番、収容されているインクの種類、色、製造年月日、ロット番号などが挙げられる。これらの情報は、インクタンク１の製造時に、情報記憶素子２２に予め書き込んでおく。
【００４８】
インクジェット記録装置５０の制御部は、インクタンク１が装着されたときに、情報記憶素子２２に書き込まれている情報を読み込む。インクジェット記録装置５０側には、情報記憶素子２２に書き込まれている情報との比較の対照となるデータが格納されている。インクジェット記録装置５０は、このデータをインクタンク１側のデータと比較することによって、装着されたインクタンク１がこのインクジェット記録装置５０に適合するものであるか否か、装着位置が正しいか否か、などを判断し、必要に応じてユーザに警告を発することができる。
【００４９】
ここで、装着されたインクタンク１が、インクを再充填した再使用品である場合、そのインク残量検出モジュール２０の情報記憶素子２２には、インク残量に関する情報として「インク無し」を意味する情報が書き込まれている。したがって、インクジェット記録装置５０に再使用品であるインクタンク１が装着されたとき、インク残量に関する情報について、検出用電極２３から得られる情報と、情報記憶素子２２から得られる情報との間に矛盾が生じる。
【００５０】
そこで、このような場合、インクジェット記録装置５０の制御部は、検出用電極２３から得られた情報を優先的に用い、情報記憶素子２２のインク残量に関する情報を書き換えれば、上記の矛盾は解消される。あるいは、インクタンク１の再利用品の製造時も新規の製造時も含め、インクタンク１の製造工程において、インクが充填されていない筐体４（図１参照）を用意しておき、この筐体４内にインクを充填した後、情報記憶素子２２に、インク残量に関する情報として「インク有り」を意味する情報を書き込む。ここでいう情報の書き込みは、新たに書き込むことだけでなく、既に書き込まれている情報を更新することも含む。例えば、再利用品のインクタンク１においては、情報記憶素子２２には、「インク無し」を意味する情報が既に書き込まれているので、このような場合は、「インク無し」の意味する情報を「インク有り」を意味する情報に書き換えてもよいし、情報記憶素子２２の別の領域に「インク有り」を意味する情報を追記してもよい。インクの充填は、インクタンク１の使用時の姿勢において、少なくとも検出用電極にインクが接触し、かつ接触したインクがインク供給口まで連通するように、インクを充填する。
【００５１】
こうすることによって、再使用品のインクタンク１をインクジェット記録装置５０に装着したときであっても、検出用電極２３から得られる情報と、情報記憶素子２２から得られる情報との間に矛盾は生じない。また、インクタンク１が新品か使用済みか、外見だけからは不明な場合においても、情報記憶素子２２に格納されている情報を読み出すことによって、インクタンク１内のインクの有無を簡便かつ確実に確認することができる。
【００５２】
ところで、インクジェット記録装置５０として現在最も普及しているのは、複数色のインクを用いてフルカラーの画像を出力することのできるものである。そのために、インクジェット記録装置５０は、それぞれ異なる色のインクを収容した複数のインクタンク１を装着する構成とし、各色のインクタンク１は、その筐体部材を共通で用い、収容するインクの色だけを変更した構成とする場合が多い。各色のインクタンク１は、予め決められた所定の位置に装着される。このような場合、情報記憶素子２２には、インク残量に関する情報だけでなく、インクの色に関する情報も書き込むことが望ましい。そして、インクジェット記録装置５０の制御部は、情報記憶素子２２に書き込まれているインクの色に関する情報も読み出し、そのインクタンク１が所定の位置に装着されているか否かを判断するように構成することで、ユーザのインクタンク１の誤装着も検出することができる。
【００５３】
このようなカラー記録用のインクタンク１を再利用する場合、使用済みのインクタンク１においては、インクの色に関する情報が情報記憶素子２２に既に書き込まれている。したがって、インクタンク１にインクを充填する際には、インクを充填する前に、情報記憶素子２２に書き込まれているインクの色に関する情報を読み出し、その情報に対応する色と同じ色のインクを充填すれば、情報記憶素子２２に書き込まれているインクの色に関する情報を書き換える必要がない。インクの色に関する情報に対応する色とは異なる色のインクを充填することもできるが、この場合は、充填するあるいは充填したインクの色に応じて、情報記憶素子２２に書き込まれているインクの色に関する情報を書き換える。また、インクタンク１を再利用する場合、インクを充填する前に、インク室内を洗浄することが望ましい。これは、インクタンク１がカラー記録用のインクタンク１であって、前回収容していた色と異なる色のインクを収容する場合は、インク室内に僅かにインクが残っている場合があるのでインクの混色を防止するうえで特に好ましい。ただし、同じ色のインクを収容する場合や、単色記録が前提であり情報記憶素子２２にインクの色に関する情報が含まれていない場合においても、インク室内に僅かに残っているインクが経時的に変質している場合があるので、インク室を洗浄することは有効である。
【００５４】
インク残量検出モジュール２０の電気的構成は、図５に示したものに限られない。インク残量検出モジュール２０の、電気的構成の他の例を、図７（ａ）〜（ｃ）を参照して説明する。
【００５５】
図７（ａ）に示す例は、検出用電極２３と接続される検出用外部コンタクト電極２４のうち一つを、素子用外部コンタクト電極２５の端子ＣＯＭと共通に用いた例である。検出用電極２３間に流れる電流を検出するためには、検出用電極２３間に電位差を与えればよく、このような場合、通常は一方をグランド電位とする。そこで、情報記憶素子２２の端子の一つがＣＯＭすなわちグランド電位であることを利用し、これらを共通に用いた。これにより、図５に示した例と比較して、インク残量検出モジュール２０の、外部とのコンタクト電極の数を一つ減少させ、それに伴ってインクジェット記録装置側のコンタクト端子の数も一つ減少させることができる。つまり、インクタンクとインクジェット記録装置との間での電気的な接続箇所を減少させることができ、その分だけ両者間での接触不良を減少させることができる。
【００５６】
図７（ｂ）に示す例は、アナログ／デジタル処理機能を有する情報記憶素子２２ａを用いた場合の電気的構成の一例である。検出用電極２３から得られる情報はアナログ情報であるので、情報記憶素子２２ａ自身が、このアナログ情報を、情報記憶素子２２ａのメモリ領域が取り扱うデジタルのデータ形式に変換する機能を有していれば、検出用電極２３からの情報を直接、情報記憶素子２２ａに入力し、情報記憶素子２２ａの内部で所定のアナログ／デジタル処理を行い、インク残量に関する情報を情報記憶素子２２ａのメモリ領域に格納するとともに、外部コンタクト電極２５ａを介してインクジェット記録装置との間で情報の入出力を行うことができる。この構成によれば、インク残量検出モジュール２０の検出用外部コンタクト電極、およびインクジェット記録装置側の検出用コンタクト端子が不要となり、電気的な接続箇所をより減少させることができる。情報記憶素子２２ａは、ワンチップ構成に限らず、ハイブリッド構成であってもよい。
【００５７】
図７（ｃ）に示す例は、インク収容室６内のインクと接触する電極の数を一つとした例である。インク残量検出のための一対の電極は、これら電極間に流れる電流を検出することができれば、必ずしもインクタンクに設けなくてもよい。そこで、図７（ｃ）に示す例では、一対の電極のうち、一方の検出用電極２３をインク残量検出モジュール２０すなわちインクタンクに設け、もう一方の検出用電極２３ａを、そのインクタンクから供給されたインクを吐出する記録ヘッド５２の、インクと接触する領域に設けている。記録ヘッド５２には、インクを吐出させるための素子（不図示）が設けられており、それに付随して種々の電気回路が構成されているので、記録ヘッド５２に設ける検出用電極２３ａには、その電気回路の一部を利用することができる。例えば、インクの吐出方式として、電気熱変換素子を用いてインクを加熱することによりインクを膜沸騰させそのときに生じる気泡の圧力を利用する吐出方式においては、電気熱変換素子の表面に耐キャビテーション膜としてＴａ膜が形成されることが多い。そこで、このＴａ膜を、記録ヘッド５２に設ける検出量電極２３ａとして利用することができる。この構成によれば、インク残量検出モジュール２０に設ける電極の数をさらに減少することができる。
【００５８】
図７（ａ）〜（ｃ）では、いずれもインクタンクとインクジェット記録装置との間での情報の伝達に、電極同士の物理的な接触を伴う例を示したが、非接触型とすることもできる。図８に、その一例を示す。
【００５９】
図８に示すインク残量検出モジュール３０は、ＲＦ−ＩＤ（Radio Frequency Identification）と呼ばれる方式により、マイクロ波と呼ばれる数ＧＨｚオーダーの高周波電波を利用して非接触で情報の送受信を行うものであり、一対の検出用電極３３と、情報記憶素子３２と、情報記憶素子３２とインクジェット記録装置との間で情報の送受信を行うためのアンテナ部３４とを有する。これら検出用電極３３、情報記憶素子３２、およびアンテナ部３４は、支持基板（不図示）上に設けられている。検出用電極３３および情報記憶素子３２は、インクタンクの外部に露出しないように支持基板の片側の面に設けられる。アンテナ部３４は、受信すべき電波の高周波エネルギーがインクタンク内のインクに吸収されることをできるだけ避けるため、検出用電極３３および情報記憶素子３２とは反対側の面に設けられる。一方、インクジェット記録装置には、インク残量検出モジュール３０との間での情報の送受信のためのアンテナ部３６が設けられている。
【００６０】
情報記憶素子３２は、図８（ｂ）に示すように、インク残量に関する情報、またはインク残量に関する情報およびインクタンク固有の情報を格納するメモリ領域３２ｃと、検出用電極３３からのアナログ情報をデジタル情報に変換するアナログ／デジタル処理部３２ａと、アンテナ部３４に接続された、ＲＦ信号をデジタル信号へ変換したりデジタル信号をＲＦ信号へ変換したりするＲＦ部（高周波処理部）３２ｄと、アナログ／デジタル処理部３２ａで変換されたデジタル情報をインク残量に関するデータ形式に変換したり、変換したインク残量に関するデータをメモリ領域３２ｃに書き込んだり、変換したインク残量に関するデータをＲＦ部３２ｄに送ったり、アナログ／デジタル処理部３２ａ、メモリ領域３２ｃおよびＲＦ部３２ｄ間での相互の信号のやり取りを制御するロジック部３２ｂとを有する。
【００６１】
なお、図８（ｂ）に示す構成は、情報記憶素子３２の構成は、ＲＦ部３２ｄを有している点を除いて、図７（ｂ）、（ｃ）に示した情報記憶素子と同様の構成である。図７（ｂ）、（ｃ）に示した情報記憶素子は、図８（ｂ）のＲＦ部３２ｄの代わりに、コンタクト端子と接続する配線を有している。
【００６２】
このように、非接触で情報の送受信を行う構成とすることで、インク残量検出モジュール３０およびインクジェット記録装置には相互間での情報の伝達のための接触構造が不要となるので、より簡便かつコンパクトに構成することができるとともに、インク残量検出モジュール３０の取り付け位置の自由度も大幅に向上する。
【００６３】
以上、情報記憶素子としてＧＨｚオーダーの高周波電波を利用したＲＦ−ＩＤを用いた例を説明したが、本発明においては、コンパクトさの点では高周波電波を利用したＲＦ−ＩＤにやや劣るものの、高周波電磁誘導を利用した電磁誘導結合型のＲＦ−ＩＤを用いても、インク残量検出手段と一体化された情報記憶手段が持つ大きな作用効果が得られることは言うまでもない。電磁誘導を利用した場合、アンテナ部としてはループコイルアンテナが用いられる。
【００６４】
図７（ｂ）、（ｃ）および図８で述べた情報記憶素子のように、アナログ／デジタル処理機能を持った情報記憶素子を用いた場合、インクタンクの残量情報に基づいて、情報記憶素子自身が、メモリ領域への格納方法を切り替えたり、判断アルゴリズムを切り替えたりする構成とすることもできる。こうすることで、例えば「インク有り／無し」の判断だけでなく、インク残量を段階的に検出可能に構成した場合に、限られたメモリ領域を有効に使用することができる。その結果、情報記憶素子のメモリサイズが抑えられるので、低コスト化が図られるとともに、インク残量検出モジュールの小型化にもつながる。
【００６５】
次に、本発明が適用可能なインクタンクの形態について説明する。上述した実施形態では、図１に示したように、負圧発生部材収納室５とインク収容室６とを有するインクタンク１に本発明を適用した例を示したが、本発明はこれに限定されるものではない。
【００６６】
図９に、本発明を適用したインクタンクの他の例の断面図を示す。図９に示すインクタンク６０は、筐体の内部が全て、インクを直接収容するインク収容室６５となっている。インクタンク６０の底壁には、収容されているインクを記録ヘッド（不図示）に供給するためのインク供給口６２が形成されている。インク供給口６２には弾性弁膜６３が設けられている。弾性弁膜６３は、インクタンク６０をインクジェット記録装置（不図示）に装着したとき、インク導出管（不図示）が挿入されたときにのみ開き、これによって、インクタンク６０がインクジェット記録装置に装着されていない状態でのインクタンク６０からのインクの漏れを防止している。
【００６７】
また、インクタンク６０の底壁には、インク収容室６５内に負圧を発生させるための負圧発生構造６４が設けられている。負圧発生構造６４は、インクタンク６０の外側表面に対して凹状に形成された第１の凹部６４ａと、インクタンク６０の内側表面に対して凹状に形成された第２の凹部６４ｂと、これら凹部６４ａ，６４ｂ間を連絡する、例えば蛇行した経路とされた連絡通路６４ｃとを有する。インクタンク６０の内圧は外圧より低く、インクは第２の凹部６４ｂにおいてメニスカスを形成してインク収容室６５内に保持されている。インクの消費に伴って内圧が小さくなると、それに伴って連絡通路６４ｃを通じてインク収容室６５内に空気が導入され、これによりインク収容室６５が所定の負圧に保たれる。
【００６８】
インクタンク６０の側壁には、インク残量検出モジュール６１が取り付けられている。インク残量検出モジュール６１としては上述した各形態のいずれも用いることができ、検出用電極（不図示）がインク収容室６５内のインクと接触するように取り付けられる。このように、インク残量検出モジュール６１をインクタンク６０の側壁に取り付けることで、インクタンク６０の使用時の姿勢における高さ方向でのインク残量検出モジュール６１の取り付け位置を適宜設定することで、インク無しを検出したいインク液面レベルを任意に設定することができる。また、インク残量検出モジュール６１のコンパクトさを損なわない範囲で、３つ以上の検出用電極を互いに上記高さ方向での位置が異なるように設け、各検出用電極間での導通状態を検出することで、上述した「インク有り／無し」だけでなく、その中間でのインク残量を段階的に検出することもできる。
【００６９】
図１０に、本発明を適用したインクタンクのさらに他の例の断面図を示す。図１０に示すインクタンク７０は、筐体の内部が全て、インクを吸収保持した負圧発生部材７４を収納した負圧発生部材収納室７５となっている。このインクタンク７０は、実質的には図１に示したインクタンク１のインク収容室６を除いたものと同様に構成されているので、ここではその詳細な説明は省略する。
【００７０】
本例でも、インク残量検出モジュール７１は、インクタンク７０の側壁に取り付けられている。インク残量検出モジュール７１としては、図９に示した例と同様に、上述した各形態のいずれも用いることができ、検出用電極（不図示）が負圧発生部材収納室７５内のインクと接触するように取り付けられる。また、３つ以上の検出用電極を設けることによって、「インク有り／無し」だけでなく、その中間でのインク残量を段階的に検出できることも、図９に示した例と同様である。ただし、本例の場合、インクは負圧発生部材７４に吸収された状態で検出用電極と接触するので、図３に示したような毛管溝を検出用電極の周囲に配置し、負圧発生部材７４の毛管力と毛管溝の毛管力とを適宜設定し、インクタンク７０内のインクが所望の量になったときに検出用電極間が電気的にオープンとなるようにすることが望ましい。図１０に示した構成は、図１に示したインクタンク１に適用することもできる。
【００７１】
図１１に、本発明を適用したインクタンクのさらに他の例の、インク残量検出モジュール近傍での断面図を示す。図１１に示すインクタンク８０は、インク残量検出モジュール８１をインク供給口８６の中に配置したものである。インク室８０ａは、インクを直接収容したものであってもよいし、負圧発生部材に吸収させた状態で保持したものであってもよい。インク供給口８６の内部においては、インク室８０ａ側の端部にフィルタ８８を有するとともに、インクの出口側の端部には弾性弁膜８９が設けられており、これによって、フィルタ８８と弾性弁膜８９との間にインク中間室８７が形成されている。
【００７２】
インク残量検出モジュール８１は、支持基板８２の片面の一端部をインク中間室８７に臨ませ、かつもう一方の面の一部をインクタンク８０の外側に露出させてインクタンク８０に固定されている。検出用電極８４は、支持基板８２の片面の、インク中間室８７内に突き出た領域に形成されている。情報記憶素子８３も、支持基板８２の片面に搭載され、封止剤で封止されている。支持基板８２のもう一方の面の、インクタンク８０の外側に露出した領域には、外部との電気的接続のための外部コンタクト電極８５が形成されている。インク残量検出モジュール８１とインクタンク８０との隙間は、接着剤により封止されている。インク残量検出モジュール８１をこのように構成しても、インクタンク８０内のインク残量を検出し、そのインク残量に関する情報を格納できるインクタンク８０とすることができる。
【００７３】
なお、本発明の作用効果を確実に得るためには、残量検知したいインク量に対応した位置に検出用電極を配置するのはもちろんのこと、少なくとも検出用電極に接触するようにインクが充填され、かつ充填されたインクがインク供給部近傍にまで連通するようにインクが収容されていることが重要である。このことは、使用済みのインクタンクに再充填して再利用する場合にも同様である。
【図面の簡単な説明】
【００７４】
【図１】本発明の一実施形態によるインクタンクの断面図である。
【図２】図１に示す実施形態によるインクタンクの、インク残量検出モジュール近傍での断面図である。
【図３】図１に示す実施形態によるインクタンクの、インク残量検出モジュールが設けられた領域での、カップ部の底壁をカップ部の内側から見た斜視図である。
【図４】図２に示すインク残量検出モジュールの斜視図である。
【図５】図１に示す実施形態によるインク残量検出モジュールの電気的構成を示す図である。
【図６】図１に示す実施形態における、インク残量検出モジュールによるインク残量の検出の様子を説明する図である。
【図７】本発明によるインク残量検出モジュールの、電気的構成の他の例を示す図である。
【図８】本発明による、非接触型のインク残量検出モジュールの一例の電気的構成を示す図である。
【図９】本発明を適用したインクタンクの他の例の断面図である。
【図１０】本発明を適用したインクタンクのさらに他の例の断面図である。
【図１１】本発明を適用したインクタンクのさらに他の例の、インク残量検出モジュール近傍での断面図を示す。
【図１２】光学的にインクの残量を検出する従来の検出システムの一例を説明する図である。
【符号の説明】
【００７５】
１，６０，７０，８０    インクタンク
２ｂ    貫通穴
４    筐体
２０，３０，６１，７１，８１    インク残量検出モジュール
２１    支持基板
２２，２２ａ，３２    情報記憶素子
２３，２３ａ    検出用電極
２４    検出用外部コンタクト電極
２５    素子用外部コンタクト電極
５０    インクジェット記録装置
５１    キャリッジ
５１ａ    検出用コンタクト端子
５１ｂ    素子用コンタクト端子
５２    記録ヘッド
【図１】
2005343037.tif 000003
【図２】
2005343037.tif 000004
【図３】
2005343037.tif 000005
【図４】
2005343037.tif 000006
【図５】
2005343037.tif 000007
【図６】
2005343037.tif 000008
【図７】
2005343037.tif 000009
【図８】
2005343037.tif 000010
【図９】
2005343037.tif 000011
【図１０】
2005343037.tif 000012
【図１１】
2005343037.tif 000013
【図１２】
2005343037.tif 000014
【手続補正書】
【提出日】平成17年3月15日(2005.3.15)
【手続補正１】
【補正対象書類名】明細書
【補正対象項目名】００１０
【補正方法】変更
【補正の内容】
【００１０】
インク収容室１０６の底面には、カップ部１０２と一体に形成され頂角を９０°とした三角プリズム状の光学反射体１１３が配置されている。一方、インクタンク１０１が装着されるインクジェット記録装置（不図示）側においては、図１２（ｃ）に示すように、発光部１５２と受光部１５３とを有する光学センサーモジュール１５１が、光学反射体１１３の下方に配置されている。